(57)【要約】【課題】輝度、輝度均一性及び色再現性を向上させるための光発生装置、これを有するバックライトアセンブリ及びバックライトアセンブリを有する表示装置を提供する。【解決手段】光発生装置は駆動基板及び駆動基板上に形成された少なくとも一つの点光源グループアレイを含み、点光源グループアレイは駆動基板を通じて印加された電力によって光を発生させる少なくとも一つの点光源を含み、点光源グループアレイは相互離隔されて配置される。これにより、バックライトアセンブリと表示装置の輝度、輝度均一性及び色再現性をより向上させて表示装置から発生された映像の表示品質をより向上させる。【選択図】    図２
2006093074.tif 000002
【特許請求の範囲】
【請求項１】
駆動基板と、
前記駆動基板上に形成された少なくとも一つの点光源グループアレイを含み、前記点光源グループアレイは前記駆動基板を通じて印加された電力によって光を発生する少なくとも一つの点光源を含み、前記点光源グループアレイは相互離隔されて配置されることを特徴とする光発生装置。
【請求項２】
前記点光源グループアレイは、前記駆動基板上に一列に複数個が配置されることを特徴とする請求項１記載の光発生装置。
【請求項３】
前記点光源グループアレイは、前記駆動基板上に少なくとも２列が相互平行に一列に複数個が配置され、前記点光源グループアレイは交代に配置されることを特徴とする請求項１記載の光発生装置。
【請求項４】
前記点光源グループアレイの間の間隔は、前記点光源グループアレイの長さと実質的に同一であることを特徴とする請求項１記載の光発生装置。
【請求項５】
前記各点光源グループアレイを構成する前記点光源は、前記駆動基板上に一列に配置されることを特徴とする請求項１記載の光発生装置。
【請求項６】
前記各点光源グループアレイを構成する前記点光源は、前記駆動基板上にマトリックス状に配置されることを特徴とする請求項１記載の光発生装置。
【請求項７】
前記点光源は赤色光を発生する赤色発光ダイオード、緑色光を発生する緑色発光ダイオード、青色光を発生する青色発光ダイオードからなる群れのうち、選択されたいずれか一つ以上の発光ダイオードを含むことを特徴とする請求項１記載の光発生装置。
【請求項８】
前記各点光源グループアレイに含まれた前記点光源の個数は２〜４個であることを特徴とする請求項１記載の光発生装置。
【請求項９】
駆動基板及び前記各駆動基板上に形成され、前記各駆動基板を通じて印加された電力によって光を発生する点光源を含み、相互離隔されて配置された点光源グループアレイを含む光発生装置と、
前記点光源グループアレイが前記底面上に交代に配置されるように前記駆動基板を収納する底面を有する収納容器と、
を含むバックライトアセンブリ。
【請求項１０】
前記各駆動基板上に形成された前記点光源グループアレイは、一列に配置されたことを特徴とする請求項９記載のバックライトアセンブリ。
【請求項１１】
前記各駆動基板上に形成された前記点光源グループアレイは、前記駆動基板上に少なくとも２列が相互平行に一列に配置され、前記駆動基板は前記点光源グループアレイが相互交代に配置されるように前記底面上に交代に配置されることを特徴とする請求項９記載のバックライトアセンブリ。
【請求項１２】
前記各点光源グループアレイの間の間隔は、前記各点光源アレイの長さと実質的に同一であることを特徴とする請求項９記載のバックライトアセンブリ。
【請求項１３】
前記点光源は、前記駆動基板上に一列に配置されることを特徴とする請求項９記載のバックライトアセンブリ。
【請求項１４】
前記点光源は、前記駆動基板上にマトリックス状に配置されることを特徴とする請求項９記載のバックライトアセンブリ。
【請求項１５】
前記点光源は、赤色光を発生する赤色発光ダイオード、緑色光を発生する緑色発光ダイオード、青色光を発生する青色発光ダイオードからなる群れのうち、選択されたいずれか一つ以上の発光ダイオードを含むことを特徴とする請求項９記載のバックライトアセンブリ。
【請求項１６】
前記各点光源グループアレイに含まれた前記点光源の個数は、２〜４個であることを特徴とする請求項９記載のバックライトアセンブリ。
【請求項１７】
前記底面のエッジには収納空間を形成するための側壁が形成され、前記側壁には前記光発生装置から発生された光を混合するための光混合部材が配置されることを特徴とする請求項９記載のバックライトアセンブリ。
【請求項１８】
駆動基板及び前記各駆動基板上に形成され、前記各駆動基板を通じて印加された電力によって光を発生させる点光源を含み、相互離隔されて配置された点光源グループアレイを含む光発生装置と、前記光発生装置が並列方式に配置される底面を含む収納容器とを含むバックライトアセンブリと、
前記光を情報が含まれたイメージ光に変更する表示パネルと、
を含む表示装置。
【請求項１９】
前記各駆動基板上に形成された前記点光源グループアレイは直列方式に配置され、前記駆動基板は前記点光源グループアレイが相互交代に配置されるように前記底面上に配置されることを特徴とする請求項１８記載の表示装置。
【請求項２０】
前記各駆動基板上に形成された前記点光源グループアレイは、前記駆動基板上に少なくとも２列が相互平行に直列方式に配置され、
前記駆動基板は、前記点光源グループアレイが相互交代に配置されるように前記底面上に配置されることを特徴とする請求項１８記載の表示装置。
【請求項２１】
前記底面光には少なくとも２つの前記光発生装置が直列方式に配置され、前記底面には直列配置された前記光発生装置が少なくとも２列以上の並列方式に配置されることを特徴とする請求項１８記載の表示装置。
【発明の詳細な説明】
【技術分野】
【０００１】
本発明は光発生装置、これを有するバックライトアセンブリ及びバックライトアセンブリを有する表示装置に関し、より具体的には、本発明は輝度、輝度均一性及び色再現性を向上させた光発生装置、これを有するバックライトアセンブリ及びバックライトアセンブリを有する表示装置に関する。
【背景技術】
【０００２】
一般に、表示装置は、情報処理装置で処理された電気的フォーマット形態のデータを映像に変更する。
【０００３】
表示装置は、冷陰極線管表示装置、液晶表示装置、プラズマ表示パネル、有機電界発光表示装置などが代表的である。これらのうち、液晶表示装置は、液晶の電気的特性及び光学的特性を用いて映像を表示する。
【０００４】
液晶表示装置は、映像を表示するために光を必要とする。液晶表示装置に主に採用される光源は、発光ダイオード、冷陰極線管ランプ、平板蛍光ランプなどが代表的である。
【０００５】
従来の液晶表示装置は、主に冷陰極線管ランプを含み、最近、平板蛍光ランプまたは発光ダイオードも液晶表示装置の光源として多く使用されている。
【発明の開示】
【発明が解決しようとする課題】
【０００６】
上記光源のうち、発光ダイオードは、輝度均一性が低く、発光ダイオードの温度によって輝度及び色再現性が減少されて表示装置に適用しにくいという問題点を有する。
【０００７】
従って、本発明は、このような従来の問題点を勘案したもので、本発明の第１目的は、輝度及び色再現性を向上させて映像の表示品質をより向上させる光発生装置を提供することにある。
【０００８】
また、本発明の第２目的は、前記光発生装置を有するバックライトアセンブリを提供することにある。
【０００９】
また、本発明の第３目的は、前記バックライトアセンブリを含む表示装置を提供することにある。
【課題を解決するための手段】
【００１０】
このような本発明の第１目的を具現するために、本願第１発明は、駆動基板及び、前記駆動基板上に形成された少なくとも一つの点光源グループアレイを含み、点光源グループアレイは前記駆動基板を通じて印加された電力によって光を発生する少なくとも一つの点光源を含み、点光源グループアレイは相互離隔された光発生装置を提供する。
【００１１】
本願第２発明は、本願第１発明において、前記点光源グループアレイは、前記駆動基板上に一列に複数個が配置されることを特徴とする請求項１記載の光発生装置を提供する。
【００１２】
本願第３発明は、本願第１発明において、前記点光源グループアレイは、前記駆動基板上に少なくとも２列が相互平行に一列に複数個が配置され、前記点光源グループアレイは交代に配置されることを特徴とする光発生装置を提供する。
【００１３】
本願第４発明は、本願第１発明において、前記点光源グループアレイの間の間隔は、前記点光源グループアレイの長さと実質的に同一であることを特徴とする光発生装置を提供する。
【００１４】
本願第５発明は、本願第１発明において、前記各点光源グループアレイを構成する前記点光源は、前記駆動基板上に一列に配置されることを特徴とする光発生装置を提供する。
【００１５】
本願第６発明は、本願第１発明において、前記各点光源グループアレイを構成する前記点光源は、前記駆動基板上にマトリックス状に配置されることを特徴とする光発生装置を提供する。
【００１６】
本願第７発明は、本願第１発明において、前記点光源は赤色光を発生する赤色発光ダイオード、緑色光を発生する緑色発光ダイオード、青色光を発生する青色発光ダイオードからなる群れのうち、選択されたいずれか一つ以上の発光ダイオードを含むことを特徴とする光発生装置を提供する。
【００１７】
本願第８発明は、本願第１発明において、前記各点光源グループアレイに含まれた前記点光源の個数は２〜４個であることを特徴とする光発生装置を提供する。
【００１８】
また、本発明の第２目的を具現するために、本願第９発明は、駆動基板及び前記各駆動基板上に形成され、前記各駆動基板を通じて印加された電力によって光を発生させる点光源を含み、相互離隔されて配置された点光源グループアレイを含む光発生装置と、点光源グループアレイが前記底面上に交代に配置されるように前記駆動基板を収納する底面を有する収納容器と、を含むバックライトアセンブリを提供する。
【００１９】
本願第１０発明は、本願第９発明において、前記各駆動基板上に形成された前記点光源グループアレイは、一列に配置されたことを特徴とするバックライトアセンブリを提供する。
【００２０】
本願第１１発明は、本願第９発明において、前記各駆動基板上に形成された前記点光源グループアレイは、前記駆動基板上に少なくとも２列が相互平行に一列に配置され、前記駆動基板は前記点光源グループアレイが相互交代に配置されるように前記底面上に交代に配置されることを特徴とするバックライトアセンブリを提供する。
【００２１】
本願第１２発明は、本願第９発明において、前記各点光源グループアレイの間の間隔は、前記各点光源アレイの長さと実質的に同一であることを特徴とするバックライトアセンブリを提供する。
【００２２】
本願第１３発明は、本願第９発明において、前記点光源は、前記駆動基板上に一列に配置されることを特徴とするバックライトアセンブリを提供する。
【００２３】
本願第１４発明は、本願第９発明において、前記点光源は、前記駆動基板上にマトリックス状に配置されることを特徴とするバックライトアセンブリを提供する。
【００２４】
本願第１５発明は、本願第９発明において、前記点光源は、赤色光を発生する赤色発光ダイオード、緑色光を発生する緑色発光ダイオード、青色光を発生する青色発光ダイオードからなる群れのうち、選択されたいずれか一つ以上の発光ダイオードを含むことを特徴とするバックライトアセンブリを提供する。
【００２５】
本願第１６発明は、本願第９発明において、前記各点光源グループアレイに含まれた前記点光源の個数は、２〜４個であることを特徴とするバックライトアセンブリを提供する。
【００２６】
本願第１７発明は、本願第９発明において、前記底面のエッジには収納空間を形成するための側壁が形成され、前記側壁には前記光発生装置から発生された光を混合するための光混合部材が配置されることを特徴とするバックライトアセンブリを提供する。
【００２７】
また、本発明の第３目的を具現するために、本願第１８発明は、駆動基板及び前記各駆動基板上に形成され、前記各駆動基板を通じて印加された電力によって光を発生する点光源を含み、相互離隔されて配置された点光源グループアレイを含む光発生装置と、前記光発生装置が並列方式に配置される底面を含む収納容器とを含むバックライトアセンブリと、光を情報が含まれたイメージ光に変更する表示パネルと、を含む表示装置を提供する。
【００２８】
本願第１９発明は、本願第１８発明において、前記各駆動基板上に形成された前記点光源グループアレイは直列方式に配置され、前記駆動基板は前記点光源グループアレイが相互交代に配置されるように前記底面上に配置されることを特徴とする表示装置を提供する。
【００２９】
本願第２０発明は、本願第１８発明において、前記各駆動基板上に形成された前記点光源グループアレイは、前記駆動基板上に少なくとも２列が相互平行に直列方式に配置され、前記駆動基板は、前記点光源グループアレイが相互交代に配置されるように前記底面上に配置されることを特徴とする表示装置を提供する。
【００３０】
本願第２１発明は、本願第１８発明において、前記底面光には少なくとも２つの前記光発生装置が直列方式に配置され、前記底面には直列配置された前記光発生装置が少なくとも２列以上の並列方式に配置されることを特徴とする表示装置を提供する。
【００３１】
本発明によると、複数個の点光源からなる点光源グループアレイを印刷回路基板などに実装して光発生装置を形成し、光発生装置を表示パネルが収納された収納容器に並列配置することで点光源から発生された熱による輝度、輝度均一性及び色再現性を大きく向上させる効果を有する。
【発明の効果】
【００３２】
以上、映像を表示するための光を発生する点光源の配置を変更して点光源から発生された熱によって点光源の輝度が減少されることを防止し、点光源の色座標が変更されることを防止して映像の表示品質が低下されることを防止する。
【発明を実施するための最良の形態】
【００３３】
以下、図面を参照して本発明の望ましい一実施例をより詳細に説明する。
（光発生装置）
（実施例１）
図１は本発明の第１実施例による光発生装置を概念的に示す平面図である。図２は図１のＩ1−Ｉ2線に沿って切断した断面図である。
【００３４】
図１及び図２に示すように、光発生装置１００は駆動基板１１０及び点光源グループアレイ１２０を含む。
【００３５】
本実施例において、駆動基板１１０は長辺及び短辺を有する直方六面体プレート形状を有する。駆動基板１１０は、例えば、印刷回路基板または印刷回路基板に熱伝導率が優れた金属がコーティングされた金属コーティング基板であり得る。駆動基板１１０は外部から提供された電力を駆動基板１１０に伝送するための電力印加線（図示せず）をさらに含むことができる。
【００３６】
点光源グループアレイ１２０は駆動基板１１０上に少なくとも一つが配置される。点光源グループアレイ１２０は、例えば、複数個が駆動基板１１０の長辺と平行な方向に配置される。本実施例において、点光源グループアレイ１２０は駆動基板１１０上に複数個が一列に配置される。各点光源グループアレイ１２０は駆動基板１１０上でＬの長さを有し、各点光源グループアレイ１２０は、例えば、駆動基板１１０上でＬの長さと実質的に同一のＤの間隔に相互離隔されて配置される。
【００３７】
各点光源グループアレイ１２０は少なくとも一つの点光源１２５を含む。望ましく、本実施例において、各点光源グループアレイ１２０に含まれた点光源１２５は点光源グループアレイ１２０の離隔間隔Ｄより小さいＤ１の間隔に配置される。点光源グループアレイ１２０に含まれた点光源１２５は、例えば、駆動基板１１０の長辺と平行な方向に一列に配置される。また、各点光源グループアレイ１２０に含まれた点光源１２５の個数は、例えば、２〜４個であることが望ましく、各点光源１２５は電力印加線に印加された電力によって光を発生する。
【００３８】
各点光源グループアレイ１２０に含まれた点光源１２５はチップ形状を有する発光ダイオード１２３及び発光ダイオード１２３から発生された光の方向を制御するためのマイクロレンズ１２４を含む。本実施例において、マイクロレンズ１２４は、例えば、ドーム（ｄｏｍ）形状を有することができる。
【００３９】
発光ダイオード１２３は、例えば、赤色光を発生する赤色発光ダイオード、緑色光を発生する緑色ダイオード及び青色光を発生する青色ダイオードを含む。
【００４０】
本実施例において、赤色光、緑色光及び青色光を発生する各点光源１２５は、各点光源グループアレイ１２０に交代に配置されることができる。各点光源１２５から発生された赤色光、緑色光及び青色光は光発生装置１００の駆動基板１１０の上部で混合され、その結果、駆動基板１１０の上部では白色光が生成される。
【００４１】
本実施例において、駆動基板１１０に点光源１２５を含む点光源グループアレイ１２０が相互Ｄの間隔に離隔されることで、点光源１２５から発生された熱がより迅速に放熱されることができ、各点光源１２５から発生された熱によって各点光源１２５の輝度、輝度均一性及び各点光源１２５から発生された光の色再現性が減少されることを防止することができる。
（実施例２）
図３は本発明の第２実施例による光発生装置を概念的に示す平面図である。
【００４２】
図３に示すように、光発生装置１００は駆動基板１３０及び点光源グループアレイ１４０を含む。
【００４３】
本実施例において、駆動基板１３０は長辺及び短辺を有する直方六面体プレート形状を有する。駆動基板１３０は印刷回路基板または熱伝導率が優れた金属がコーティングされた印刷回路基板を含むことができる。駆動基板１３０は外部から提供された電力を駆動基板１３０に伝送するための電力印加線（図示せず）をさらに含むことができる。
【００４４】
点光源グループアレイ１４０は駆動基板１３０上に複数個が配置される。本実施例において、各点光源グループアレイ１４０は、駆動基板１３０の長辺と平行な方向に一列に配置される。各点光源グループアレイ１４０はＬの長さを有し、各点光源グループアレイ１４０は、例えば、駆動基板１３０上でＬの長さと実質的に同一のＤ間隔に相互離隔されて配置される。また、点光源グループアレイ１４０は駆動基板１３０の短辺と平行な方向に少なくとも２列が並列配置される。本実施例において、駆動基板１３０に少なくとも２列が配置された点光グループアレイ１４０は駆動基板１３０上で交代に配置される。従って、駆動基板１３０の平面から見たとき、相互平行な点光源グループアレイ１４０はジグザグ形態に配置される。
【００４５】
駆動基板１３０の平面から見たとき、ジグザグ形態に配置された各点光源グループアレイ１４０は少なくとも一つの点光源１４５を含む。望ましく、本実施例で各点光源１４５の間隔Ｄ１は点光源グループアレイ１４０の離隔間隔Ｄより小さい。点光源グループアレイ１４０に含まれた点光源１４５は駆動基板１３０の長辺と平行な方向に一列に配置される。また、各点光源グループアレイ１４０に含まれた点光源１４５の個数は、例えば、２〜４個であることが望ましい。
【００４６】
本実施例による各点光源グループアレイ１４０に含まれた点光源１４５はチップ形状を有する発光ダイオード１４３及び発光ダイオード１４３から発生された光の方向を制御するためのマイクロレンズ１４４を含む。
【００４７】
発光ダイオード１４３は、例えば、赤色光を発生する赤色発光ダイオード、緑色光を発生する緑色発光ダイオード及び青色光を発生する青色発光ダイオードを含む。
【００４８】
本実施例において、赤色光、緑色光及び青色光を発生する点光源１４５は各点光源グループアレイ１４０に交代に配置されることが望ましい。各点光源１４５から発生した赤色光、緑色光及び青色光は駆動基板１３０の上部で混合され、その結果、駆動基板１３０の上部では白色光が生成される。
【００４９】
本実施例において、駆動基板１３０に点光源１４５を含む点光源グループアレイ１４０が相互Ｄの間隔に離隔されることで、点光源１４５から発生された熱がより迅速に放熱されることができ、各点光源１４５から発生された熱によって各点光源１４５の輝度、輝度均一性及び各点光源１４５から発生された光の色再現性が減少されることを防止することができる。また、点光源グループアレイ１４０はジグザグ形態に配置され、点光源グループアレイ１４０は、その長さＬと実質的に同一のＤの間隔に相互離隔されて配置されることで、点光源グループアレイ１４０と点光源グループアレイ１４０との間に隣接する行または列には、別の行または列の点光源グループアレイ１４０が位置する。よって、点光源１４５の熱を効率的に放熱しつつ駆動基板全体として均一な輝度を提供することができる。
（実施例３）
図４は本発明の第３実施例による光発生装置を示す概念図である。
【００５０】
図４に示すように、光発生装置１００は駆動基板１５０及び点光源グループアレイ１６０を含む。
【００５１】
本実施例において、駆動基板１５０は長辺及び短辺を有する直方六面体プレート形状を有し、駆動基板１５０は印刷回路基板または熱伝導率が優れた金属がコーティングされた印刷回路基板を含むことができる。駆動基板１５０は外部から提供された電力を駆動基板１５０に伝送するための電力印加線（図示せず）をさらに含むことができる。
【００５２】
点光源グループアレイ１６０は、駆動隔壁１５０上に少なくとも一つが配置される。本実施例において，点光源グループアレイ１６０は、例えば、複数個が駆動基板１５０の長辺と平行な方向に一列に配置される。本実施例において、点光源グループアレイ１６０は駆動基板１５０上に、例えば、５個が形成される。本実施例において、各点光源グループアレイ１６０は、例えば、一列に配置される。各点光源グループアレイ１６０は、例えば、Ｌ１の長さを有し、各点光源グループアレイ１６０は、例えば、駆動基板１５０上でＬ１長さと実質的に同一のＤ２の間隔に相互離隔されて配置される。
【００５３】
各点光源グループアレイ１６０は少なくとも一つの点光源１６５を含む。望ましく、本実施例において各点光源１６５は点光源グループアレイ１６０の離隔間隔Ｄ２より小さいＤ３の間隔に配置される。
【００５４】
点光源グループアレイ１６０に含まれた点光源１６５は点光源グループアレイ１６０の内部でマトリックス状に配置される。本実施例で、点光源グループアレイ１６０に含まれた点光源１６５は、例えば、２×２行列、３×３行列形態に配置されることができ、駆動基板１５０上に配置された各点光源１２５は駆動基板１５０を通じて印加された電力によって光を発生する。
【００５５】
各点光源グループアレイ１６０に含まれた点光源１６５はチップ形状を有する発光ダイオード１６３及び発光ダイオード１６３から発生された光の方向を制御するためのマイクロレンズ１６４を含む。
【００５６】
発光ダイオード１６３は、例えば、赤色光を発生する赤色発光ダイオード、緑色光を発生する緑色発光ダイオード及び青色光を発生する青色発光ダイオードを含む。
【００５７】
本実施例にいおて、各点光源グループアレイ１６０に含まれて赤色光、緑色光及び青色光を発生する点光源１６５はそれぞれ交代に配置されることが望ましい。各点光源１６５から発生された赤色光、緑色光及び青色光は駆動基板１５０の上部で混合され、その結果、駆動基板１５０の上部では白色光が発生される。
【００５８】
本実施例において、駆動基板１５０で点光源１６５を含む点光源グループアレイ１６０が相互Ｄ２の間隔に離隔されることで、点光源１６５から発生された熱がより迅速に放熱されることができ、各点光源１６５から発生された熱によって各点光源１６５の輝度、輝度均一性及び各点光源１６５から発生された光の色再現性が減少されることを防止することができる。
（バックライトアセンブリ）
（実施例４）
図５は本発明の第４実施例によるバックライトアセンブリを概念的に示す平面図である。
【００５９】
図５に示すように、バックライトアセンブリ３００は光発生装置１００及び収納容器２００を含む。
【００６０】
光発生装置１００は駆動基板１１０及び点光源グループアレイ１２０を含む。
【００６１】
本実施例において、駆動基板１１０は長辺及び短辺を有する直方六面体プレート形状を有し、駆動基板１１０は印刷回路基板または熱伝導率が優れた金属がコーティングされた印刷回路基板を含むことができる。駆動基板１１０は外部から提供された電力を駆動基板１１０に伝送するための電力印加線（図示せず）をさらに含むことができる。
【００６２】
点光源グループアレイ１２０は駆動基板１１０上に少なくとも一つが配置される。本実施例において、点光源グループアレイ１２０は、例えば、複数個が駆動基板１１０の長辺と平行な方向に配置される。本実施例において、点光源グループアレイ１２０は駆動基板１１０上に３個が形成され、各点光源グループアレイ１２０は、例えば、駆動基板１１０上に一列に配置される。各点光源グループアレイ１２０は駆動基板１１０上でＬの長さに配置され、駆動基板１１０上でＬの長さと実質的に同一のＤの間隔に離隔されて配置される。
【００６３】
各点光源グループアレイ１２０は少なくとも一つの点光源１２５を含む。望ましく、各点光源１２５は点光源グループアレイ１２０の離隔間隔Ｄより小さいＤ１の間隔に配置される。点光源グループアレイ１２０に含まれた点光源１２５は駆動基板１１０の長辺と平行な方向に一列に配置される。
【００６４】
また、各点光源グループアレイ１２０に含まれた点光源１２５の個数は、例えば、２〜４個であることが望ましく、各点光源１２５は駆動基板１１０を通じて印加された電力によって光を発生する。
【００６５】
本実施例において、点光源１２５は赤色光、緑色光及び青色光を発生し、赤色光、緑色光及び青色光を発生する点光源１２５は各点光源グループアレイ１２０でそれぞれ交代に配置されることが望ましい。各点光源１２５から発生した赤色光、緑色光及び青色光は駆動基板１１０の上部で混合され、その結果、駆動基板１１０の上部では白色光が発生される。
【００６６】
本実施例において、駆動基板１１０に点光源１２５を含む点光源グループアレイ１２０が相互Ｄの間隔に離隔されることで、各点光源１２５から発生した熱によって各点光源１２５の輝度及び各点光源から発生した光の色再現性が減少されることを防止することができる。
【００６７】
収納容器２００は底面２１０を含み、底面２１０には光発生装置１００が配置される。本実施例において、光発生装置１００は少なくとも一つ以上、望ましくは、複数個が相互並列方式に底面２１０上に配置される。
【００６８】
このとき、底面２１０上に配置された光発生装置１００は各光発生装置１００の点光源グループアレイ１２０が駆動基板１１０上で相互交代に配置されるように底面２１０上に配置される。
【００６９】
このように、各点光源グループアレイ１２０が相互離隔されて配置されるように光発生装置１００が収納容器２００の底面２１０上に配置されることで、点光源１２５から発生された熱がより迅速に放熱されることができ、これにより、各点光源１２５から発生された光の輝度及び色再現性をより向上させることができる。
【００７０】
本実施例においては、同一の形状及び構成を有する複数個の光発生装置１００を収納容器２００の底面２１０に配置し、点光源グループアレイ１２０が相互平行な状態で相互ジグザグ形態に配置されるように光発生装置１００の位置を変更して各点光源１２５から発生された光の輝度及び色再現性をより向上させる。つまり、点光源グループアレイ１２０は交互に配置され、点光源グループアレイ１２０はその長さＬと実質的に同一のＤの間隔に相互離隔されて配置されることで、点光源グループアレイ１２０と点光源グループアレイ１２０との間に隣接する行または列には、別の行または列の点光源グループアレイ１２０が位置する。よって、点光源１２５の熱を効率的に放熱しつつ駆動基板全体として均一な輝度を提供することができる。
（実施例５）
図６は本発明の第５実施例によるバックライトアセンブリの平面図である。
【００７１】
図６に示すように、バックライトアセンブリ２００は光発生装置１００及び収納容器２００を含む。
【００７２】
光発生装置１００は駆動基板１３０及び点光源グループアレイ１４０を含む。
【００７３】
本実施例において、駆動基板１３０は長辺及び短辺を有する直方六面体プレート形状を有し、駆動基板１３０は印刷回路基板または熱伝導率が優れた金属がコーティングされた印刷回路基板を含むことができる。駆動基板１３０は外部から提供された電力を駆動基板１３０に伝送するための電力印加線（図示せず）をさらに含むことができる。
【００７４】
点光源グループアレイ１４０は駆動基板１３０に複数個が配置される。本実施例において、各点光源グループアレイ１３０は駆動基板１３０の長辺と平行な方向に一列に配置される。各点光源グループアレイ１４０の長さはＬであり、各点光源グループアレイ１４０は、駆動基板１３０上でＬの長さと実質的に同一のＤの間隔に相互離隔されて配置される。
【００７５】
また、点光源グループアレイ１４０は、駆動基板１３０の短辺と平行な方向に少なくとも２列が並列配置される。本実施例において、駆動基板１３０に配置された点光源グループアレイ１４０は駆動基板１３０上で交代に配置される。
【００７６】
従って、駆動基板１３０の上面から見たとき、相互平行な点光源グループアレイ１４０は駆動基板１３０上でジグザグ形態に配置される。
【００７７】
各点光源グループアレイ１４０は少なくとも一つの点光源１４５を含む。望ましく、本実施例において、各点光源１４５の間隔Ｄ１は点光源グループアレイ１４０の離隔間隔Ｄより小さい。点光源グループアレイ１４０に含まれた点光源１４５は駆動基板１３０の長辺と平行な方向に配置される。また、各点光源グループアレイ１４０に含まれた点光源１４５の個数は、例えば、２〜４個であることが望ましく、各点光源１４５は駆動基板１３０を通じて印加された電力によって光を発生する。
【００７８】
点光源１４５は、例えば、赤色光を発生する赤色発光ダイオード、緑色光を発生する緑色発光ダイオード及び青色光を発生する青色発光ダイオードを含む。
【００７９】
本実施例において、赤色光、緑色光及び青色光を発生する点光源１４５は各点光源グループアレイ１４０で交代に配置されることが望ましい。各点光源１４５から発生された赤色光、緑色光及び青色光は駆動基板１３０の上部で混合され、その結果、駆動基板１３０の上部では白色光が発生される。
【００８０】
本実施例において、駆動基板１３０に点光源１４５を含む点光源グループアレイ１４０が相互Ｄの間隔に離隔されることで、点光源１４５から発生された熱がより迅速に放熱されることができ、各点光源１４５から発生された熱によって各点光源１４５の輝度及び各点光源１４５から発生した光の色再現性が減少されることを防止することができる。  収納容器２００は底面２１０を含み、底面２１０には前述された発生装置１００が配置される。本実施例において、光発生装置１００には相互平行な少なくとも２列の点光源グループアレイ１４０が交代に形成されているので、収納容器２００の底面２１０に配置された光発生装置１００は相互一定の間隔に離隔されて並列配置される。つまり、点光源グループアレイ１４０は交互配置され、点光源グループアレイ１４０はその長さＬと実質的に同一のＤの間隔に相互離隔されて配置されることで、点光源グループアレイ１４０と点光源グループアレイ１４０との間に隣接する行または列には、別の行または列の点光源グループアレイ１４０が位置する。よって、点光源１４５の熱を効率的に放熱しつつ駆動基板全体として均一な輝度を提供することができる。
【００８１】
（実施例６）
図７は本発明の第６実施例によるバックライトアセンブリを概念的に示す平面図である。
【００８２】
図７に示すように、バックライトアセンブリ３００は光発生装置１００及び収納容器２００を含む。
【００８３】
光発生装置１００は駆動基板１５０及び点光源グループアレイ１６０を含む。
【００８４】
本実施例において、駆動基板１５０は長辺及び短辺を有する直方六面体プレート形状を有し、駆動基板１５０は印刷回路基板または熱伝導率が優れた金属がコーティングされた印刷回路基板を含むことができる。駆動基板１５０は外部から提供された電力を駆動基板１５０に伝送するための電力印加線（図示せず）をさらに含むことができる。
【００８５】
点光源グループアレイ１６０は駆動基板１５０上に少なくとも一つが配置される。本実施例において、点光源グループアレイ１６０は、例えば、複数個が駆動基板１５０の長辺と平行な方向に配置される。本実施例において、点光源グループアレイ１６０は駆動基板１５０上に、例えば、５個が形成され、各点光源グループアレイ１６０は一列に配置される。
【００８６】
各点光源グループアレイ１６０は駆動基板１５０上のでＬ１長さに配置され、各点光源グループアレイ１６０は駆動基板１５０上でＬ１の長さと実質的に同一のＤ２の間隔に相互離隔されて配置される。
【００８７】
各点光源グループアレイ１６０は少なくとも一つの点光源１６５を含む。望ましく、本実施例において、各点光源１６５は点光源グループアレイ１６０の離隔間隔Ｄ２より小さいＤ３の間隔に配置される。点光源グループアレイ１６０に含まれた点光源１６５は点光源グループアレイ１６０の内部でマトリックス状に配置される。本実施例において、点光源グループアレイ１６０に含まれた点光源１６５は、例えば、２×２行列に配置される。例えば、２×２行列、３×３行列形態に配置された各点光源１６５は駆動基板１５０を通じて印加された電力によって光を発生する。
【００８８】
点光源１６５は、例えば、赤色光を発生する赤色発光ダイオード、緑色光を発生する緑色発光ダイオード及び青色光を発生する青色発光ダイオードを含む。
【００８９】
本実施例において、赤色光、緑色光及び青色光を発生する点光源１６５は各点光源グループアレイ１６０でそれぞれ交代に配置されることが望ましい。各点光源１６５から発生した赤色光、緑色光及び青色光は駆動基板１５０の上部で混合され、その結果、駆動基板１５０の上部では白色光が発生される。
【００９０】
本実施例において、駆動基板１５０に点光源１６５を含む点光源グループアレイ１６０が相互Ｄ２の間隔に離隔されることで、点光源１６５から発生された熱がより迅速に放熱されることができ、各点光源１６５から発生された熱によって各点光源１６５の輝度及び各点光源１６５から発生された光の色再現性が減少されることを防止することができる。
【００９１】
また、点光源グループアレイ１６０は交互配置され、点光源グループアレイ１６０はその長さＬ１と実質的に同一のＤ２の間隔に相互離隔されて配置されることで、点光源グループアレイ１６０と点光源グループアレイ１６０との間に隣接する行または列には、別の行または列の点光源グループアレイ１６０が位置する。よって、点光源１６５の熱を効率的に放熱しつつ駆動基板全体として均一な輝度を提供することができる。  収納容器２００は光発生装置１００を収納する底面２１０を含み，底面１２０には光発生装置１００の点光源グループアレイ１６０が交代に配置されるように少なくとも２つの光発生装置１００が交代に配置される。
【００９２】
（実施例７）
図８は本発明の第７実施例によるバックライトアセンブリの断面図である。本発明の第７実施例によるバックライトアセンブリは光混合部材を除いては実施例４と同一の構成を有するので、その重複されて部分の説明は省略し、同一の構成要素については同一の参照符号及び名称を付与することにする。
【００９３】
図８に示すように、収納容器２００の底面２１０のエッジには底面２１０の上面に収納空間が形成されるように側壁２２０が形成され、光混合部材２３０は側壁２２０のうち底面２１０上に配置された光供給装置１００から所定の間隔離隔された所に配置される。
【００９４】
光混合部材２３０は光供給装置１００から発生された赤色光、緑色光及び青色光が混合されるのに必要とされる面積をより減少させてバックライトアセンブリの全体的な体積及び重さをより減少させる。
（表示装置）
（実施例８）
図９は本発明の第８実施例による表示装置の断面図である。
【００９５】
図９に示すように、表示装置５００は表示パネル４００、バックライトアセンブリ３００を含む。
【００９６】
バックライトアセンブリ３００は光発生装置１００、収納容器２００及び光混合部材２３０を含む。
【００９７】
光発生装置１００は駆動基板１１０及び点光源グループアレイ１２０を含む。
【００９８】
本実施例において、駆動基板１１０は長辺及び短辺を有する直方六面体プレート形状を有し、駆動基板１１０は熱伝導率が優れた金属を含むことができる。駆動基板１１０は外部から提供されて電力を駆動基板１１０に伝送するための電力印加線（図示せず）をさらに含むことができる。
【００９９】
点光源グループアレイ１２０は駆動基板１１０上に少なくとも一つが配置される。本実施例において、点光源グループアレイ１２０は、例えば、複数個が駆動基板１１０の長辺と平行な方向に配置される。本実施例において、点光源グループアレイ１２０は駆動基板１１０上に、例えば、３個が形成される。本実施例において、各点光源グループアレイ１２０は、例えば、一列に配置される。各光源グループアレイ１２０は駆動基板１１０上でＬの長さに配置される。また、各点光源グループアレイ１２０は、例えば、駆動基板１１０上でＬ長さと実質的に同一のＤの間隔に相互離隔されて配置される。
【０１００】
各点光源グループアレイ１２０は少なくとも一つの点光源１２５を含む。望ましく、本実施例において、各点光源１２５は点光源グループアレイ１２０の離隔間隔Ｄより小さいＤ１の間隔に配置される。点光源グループアレイ１２０に配置された点光源１２５は駆動基板１１０の長辺と平行な方向に一列に配置される。また、各点光源グループアレイ１２０に含まれた点光源１２５の個数は、例えば、２〜４個であることが望ましく、各点光源１２５は駆動基板１１０を通じて印加された電力によって光を発生する。
【０１０１】
本実施例において、点光源１２５は赤色光、緑色光及び青色光を発生し、赤色光、緑色光及び青色光を発生する点光源１２５は各点光源グループアレイ１２０でそれぞれ交代に配置されることが望ましい。各点光源１２５から発生した赤色光、緑色光及び青色光は駆動基板１１０の上部で混合され、その結果、駆動基板１１０の上部では白色光が発生される。
【０１０２】
本実施例において、駆動基板１１０に点光源１２５を含む点光源グループアレイ１２０が相互Ｄ間隔に離隔されることで、各点光源１２５から発生した熱によって各点光源１２５の輝度及び各点光源１２５から発生した光の色再現性が減少されることを防止することができる。
【０１０３】
収納容器２００は底面２１０を含み、底面２１０には光発生装置１００が配置される。本実施例において、光発生装置１００は少なくとも一つ以上、望ましく、複数個が相互並列方式に底面２１０上に配置される。
【０１０４】
このとき、底面２１０上に配置された光発生装置１００は各光発生装置１００の点光源グループアレイ１２０が相互交代に配置されるように底面２１０上に光発生装置１００が交互的に配置される。
【０１０５】
このように、底面２１０上に各点光源グループアレイ１２０が相互離隔されて配置されることで点光源１２５から発生した熱がより迅速に放熱されることができ、これにより、各点光源１２５から発生した光の輝度及び色再現性をより向上させることができる。
【０１０６】
本実施例においては、同一の形状及び構成を有する複数個の光発生装置１００を収納容器２００の底面２１０に配置し、点光源グループアレイ１２０が相互平行な状態で相互ジグザグ形態に配置されるように光発生装置１００の位置を変更して各点光源１２５から発生された光の輝度及び色再現性をより向上させる。つまり、点光源グループアレイ１２０は交互配置され、点光源グループアレイ１２０はその長さＬと実質的に同一のＤの間隔に相互離隔されて配置されることで、点光源グループアレイ１２０と点光源グループアレイ１２０との間に隣接する行または列には、別の行または列の点光源グループアレイ１２０が位置する。よって、点光源１２５の熱を効率的に放熱しつつ駆動基板全体として均一な輝度を提供することができる。
【０１０７】
光混合部材２３０は光発生装置１００からそれぞれ発生された赤色光、緑色光及び青色光を混合させて収納容器２００から白色光を発生させるのに必要な空間を減少させて収納容器２００の体積及び重さを減少させる。
【０１０８】
表示パネル４００は液晶層４３０の両側に配置された薄膜トランジスタ基板４１０及びカラーフィルター基板４２０を含む。表示パネル４００は薄膜トランジスタ基板４１０及びカラーフィルター基板４２０との間に形成された電界差によって液晶層４３０に含まれた液晶の配列を変更させて液晶層４３０を通過した光の透過率を変更させて映像を表示する。
【０１０９】
以上、本発明の実施例によって詳細に説明したが、本発明はこれに限定されず、本発明が属する技術分野において通常の知識を有する者であれば、本発明の思想と精神を離れることなく、本発明を修正または変更できる。
【図面の簡単な説明】
【０１１０】
【図１】本発明の第１実施例による光発生装置を概念的に示す平面図である。
【図２】図１のＩ1−Ｉ2線に沿って切断した断面図である。
【図３】本発明の第２実施例による光発生装置を概念的に示す平面図である。
【図４】本発明の第３実施例による光発生装置を示す概念図である。
【図５】本発明の第４実施例によるバックライトアセンブリを概念的に示す平面図である。
【図６】本発明の第５実施例によるバックライトアセンブリの平面図である。
【図７】本発明の第６実施例によるバックライトアセンブリを概念的に示す平面図である。
【図８】本発明の第７実施例によるバックライトアセンブリの断面図である。
【図９】本発明の第８実施例による表示装置の断面図である。
【符号の説明】
【０１１１】
１００      光発生装置
１１０、１３０、１５０      駆動基板
１２０、１４０、１６０      点光源グループアレイ
１２３、１４３、１６３      発光ダイオード
１２４、１４４、１６４      マイクロレンズ
１２５、１４５、１６５      点光源
２００      収納容器
２１０      底面
２２０      側壁
２３０      光混合部材
３００      バックライトアセンブリ
４００      表示パネル
４１０      薄膜トランジスタ基板
４２０      カラーフィルター基板
４３０      液晶層
５００      表示装置
【図１】
2006093074.tif 000003
【図２】
2006093074.tif 000004
【図３】
2006093074.tif 000005
【図４】
2006093074.tif 000006
【図５】
2006093074.tif 000007
【図６】
2006093074.tif 000008
【図７】
2006093074.tif 000009
【図８】
2006093074.tif 000010
【図９】
2006093074.tif 000011